(57)【要約】【課題】適切なタイミングでディスプレイの明るさを低下させることができる電子機器を提供する。【解決手段】明るさを変更可能なディスプレイ２６を有する電子機器１であって、周囲の明るさを検出し、周囲の明るさの情報を出力するセンサ２５と、ディスプレイ２６の表示時間を特定する特定部３２と、ディスプレイ２６の明るさを制御する制御部３３と、を備え、制御部３３は、周囲の明るさとディスプレイ２６の明るさとの関係と、表示時間に基づいて、ディスプレイ２６の明るさを低下させる制御を実行する。【選択図】図５
2020067610.tif 000002
【特許請求の範囲】
【請求項１】
明るさを変更可能なディスプレイを有する電子機器であって、
周囲の明るさを検出し、前記周囲の明るさの情報を出力するセンサと、
前記ディスプレイの表示時間を特定する特定部と、
前記ディスプレイの明るさを制御する制御部と、を備え、
前記制御部は、前記周囲の明るさと前記ディスプレイの明るさとの関係と、前記表示時間に基づいて、前記ディスプレイの明るさを低下させる制御を実行する電子機器。
【請求項２】
前記制御部は、前記関係に対応付けられた値に前記表示時間を乗じた値を用いて算出される疲労度に基づいて、前記ディスプレイの明るさを低下させる制御を実行する請求項１に記載の電子機器。
【請求項３】
前記関係に対応付けられた値は、前記周囲の明るさの段階と前記ディスプレイの明るさの段階との組み合わせに基づいて決定される値であり、
前記制御部は、前記周囲の明るさの情報に基づいて取得した前記周囲の明るさの段階と、制御を行っている前記ディスプレイの明るさの段階を特定し、特定した段階の組み合わせに基づいて前記関係に対応付けられた値を決定する、
請求項２に記載の電子機器。
【請求項４】
前記制御部は、前記疲労度が所定値以上である場合に前記ディスプレイの明るさを低下させる制御を実行する請求項２又は３に記載の電子機器。
【請求項５】
前記制御部は、前記表示時間に応じて段階的に前記ディスプレイの明るさを低下させる制御を実行する、
請求項１から４のいずれか一項に記載の電子機器。
【請求項６】
前記制御部は、前記表示時間が所定時間以上である場合に、報知を行う制御を実行する、
請求項１から５のいずれか一項に記載の電子機器。
【請求項７】
前記制御部は、前記関係と前記表示時間に基づいて、前記ディスプレイの色温度を変化させる制御を実行する、
請求項１から６のいずれか一項に記載の電子機器。
【請求項８】
前記制御部は、前記関係と前記表示時間に基づいて、前記ディスプレイの明るさを低下させる第１モードと、前記関係と前記表示時間に基づいて、前記ディスプレイの明るさを低下させない第２モードと、を選択的に実行可能であり、特定のアプリケーションが実行されていない場合には前記第１モードを実行し、前記特定のアプリケーションが実行されている場合には前記第２モードを実行する制御を行う、
請求項１から７のいずれか一項に記載の電子機器。
【発明の詳細な説明】
【技術分野】
【０００１】
本発明は、電子機器に関する。
【背景技術】
【０００２】
従来から、液晶ディスプレイや有機ＥＬディスプレイ等を有する電子機器が普及している。周囲が暗い環境下において、ディスプレイの明るさを大きくした状態で電子機器を使用すると、ユーザの眼が疲労する場合がある。
【０００３】
そこで、周囲の明るさに応じて、ディスプレイの明るさを自動調整する技術が存在する。例えば、特許文献１には、電子機器の周囲が暗い場合に、ディスプレイを暗くする技術が記載されている。
【先行技術文献】
【特許文献】
【０００４】
【特許文献１】特開２００４−０９６５９３号公報
【発明の概要】
【発明が解決しようとする課題】
【０００５】
ユーザの中には、眼が疲労していない状態では、暗い環境下においてもディスプレイが明るい状態で電子機器を使用し、眼が疲労してきたらディスプレイが暗い状態で電子機器を使用したいというユーザが存在する。しかしながら、単に、周囲が暗くなると自動的にディスプレイの明るさを暗くするといった特許文献１等に記載の技術では、ユーザの眼の疲れ具合に応じた適切な明るさ調整を行うことができなかった。
【０００６】
そこで、本発明は、適切なタイミングでディスプレイの明るさを低下させることができる電子機器を提供することを目的とする。
【課題を解決するための手段】
【０００７】
本発明の一態様に係る電子機器は、明るさを変更可能なディスプレイを有する電子機器であって、周囲の明るさを検出し、周囲の明るさの情報を出力するセンサと、ディスプレイの表示時間を特定する特定部と、ディスプレイの明るさを制御する制御部と、を備え、制御部は、周囲の明るさとディスプレイの明るさとの関係と、表示時間に基づいて、ディスプレイの明るさを低下させる制御を実行する。
【０００８】
この態様によれば、制御部が電子機器の周囲の明るさとディスプレイの明るさとの関係のみならず、ディスプレイの表示時間に基づいてディスプレイの明るさを制御する。そのため、適切なタイミングでディスプレイの明るさを低下させることが可能となる。
【発明の効果】
【０００９】
本発明によれば、適切なタイミングでディスプレイの明るさを低下させることができる電子機器を提供することができる。
【図面の簡単な説明】
【００１０】
【図１】本発明の実施形態に係る電子機器の外観を示す図である。
【図２】電子機器のハードウェア構成の一例を示す図である。
【図３】電子機器の機能ブロックの構成例を示す図である。
【図４】疲労度テーブルの一例を示す図である。
【図５】電子機器による第１処理の一例を示すフローチャートである。
【図６】電子機器による第２処理の一例を示すフローチャートである。
【図７】電子機器のディスプレイに表示される報知画面の一例を示す図である。
【図８】電子機器による第３処理の一例を示すフローチャートである。
【発明を実施するための形態】
【００１１】
添付図面を参照して、本発明の実施形態について説明する。なお、各図において、同一の符号を付したものは、同一又は同様の構成を有する。
【００１２】
図１は、本発明の実施形態に係る電子機器１の外観を示す図である。本明細書においては、ノート型パーソナルコンピュータ（以下「ノートパソコン」という。）に本発明を適用した場合を例に説明する。本発明は、ノートパソコンのみならず、デスクトップ型パーソナルコンピュータ、タブレット、スマートフォン等のディスプレイを備える各種の電子機器に適用することができる。
【００１３】
電子機器１は、蓋体１０、筐体１７及びヒンジ部１２を備えている。ヒンジ部１２は、蓋体１０と筐体１７の長辺に取り付けられ、蓋体１０と筐体１７とを回転可能に連結している。すなわち、蓋体１０が筐体１７に対して開閉可能となっている。図１は、蓋体１０が筐体１７に対して開いた状態を示している。
【００１４】
蓋体１０は、ディスプレイ２６を収容する。ディスプレイ２６は、文字や画像等を表示する。ディスプレイ２６は、蓋体１０が閉じられた状態で筐体１７と対向する位置に設けられている。ディスプレイ２６は、例えば、液晶ディスプレイや有機ＥＬディスプレイであってよい。
【００１５】
ディスプレイ２６は、明るさの段階を変更することができる。例えば、ディスプレイ２６の明るさが「暗」、「中」、「明」の三段階で設定可能な場合に、設定を「明」から「中」にすると、ディスプレイ２６の明るさは、設定が「明」のときと比べて小さくなるように変更される。ディスプレイ２６の明るさの変更は、ディスプレイ２６が液晶ディスプレイである場合、バックライトの輝度が変更されることで行われてもよい。また、バックライト等の光源から出力される光を遮る遮光層をディスプレイ２６に設けることにより、明るさの変更が行われてもよい。
【００１６】
また、ディスプレイ２６は、色温度の変更が可能であってもよい。例えば、ディスプレイ２６は、出力される青色光を低減することにより、色温度を低下させてもよい。青色光が低減され色温度が低下すると、ディスプレイ２６の表示は、色温度の低下前と比較して黄色や赤色を帯びたものとなる。なお、ディスプレイ２６の明るさや色温度の調整を制御する制御回路等は、蓋体１０の内部に収容されていてもよい。
【００１７】
筐体１７は、上面カバー１５及び底面カバー１６から構成される。上面カバー１５と底面カバー１６を上下方向に重ね合わせ周囲を接合することにより、筐体１７が組み立てられる。筐体１７の内部には、基板、ＣＰＵ、メモリ、ＨＤＤやＳＳＤ、バッテリ等が収納されている。筐体１７には、キートップが上面カバー１５側から突出するようにキーボード１３が設けられている。また、キーボード１３に隣接するようにしてタッチパッド１４が設けられている。ユーザは、キーボード１３やタッチパッド１４等の入力デバイスを介して電子機器１の操作を行うことができる。
【００１８】
電子機器１は、周囲の明るさを検出するセンサ２５を備える。センサ２５は、フォトトランジスタやフォトダイオードを使用した明るさを検出する検出回路を含んでいてもよい。また、本実施形態において、センサ２５は、筐体１７のうちヒンジ部１２付近に設けれられているが、電子機器１におけるセンサ２５の位置は限定されず、電子機器１の周囲の明るさが検出可能な位置であればよい。
【００１９】
図２は、電子機器１のハードウェア構成の一例を示す図である。電子機器１は、ＣＰＵ（Central Processing Unit）２０、記憶装置２１、通信ＩＦ（Interface）２２、入力デバイス２３、出力デバイス２４、センサ２５及びディスプレイ２６を有する。これらの各構成は、相互にデータ送受信可能に接続される。
【００２０】
ＣＰＵ１０１は、記憶装置２１に記憶されたプログラムの実行に関する制御やデータの演算、加工を行う制御部である。ＣＰＵ２０は、通信ＩＦ２２からデータを受け取り、データの演算結果を出力デバイス２４に出力したり、記憶装置２１に記憶したりすることで、後述する制御部３３の各種機能を実現する。
【００２１】
記憶装置２１は、各種情報を記憶するデバイスである。記憶装置２１は、データの書き換えが可能な揮発性の記憶媒体やデータの読み出しのみが可能な不揮発性の記憶媒体である。
【００２２】
通信ＩＦ２２は、電子機器１を通信ネットワークに接続するデバイスである。通信ＩＦ２２は、電子機器１の外部に設けられることも考えられる。その場合、通信ＩＦ２２は、例えばＵＳＢ(Universal Serial Bus)等のインタフェースを介して電子機器１に接続される。
【００２３】
入力デバイス２３は、ユーザからの情報の入力を受け付けるためのデバイスである。本実施形態において、入力デバイス２３には、キーボード１３やタッチパッド１４が含まれる。なお、入力デバイス２３には、上述した例に限られず、例えばタッチパネル、ボタン、マウス及びマイク等が含まれていてもよい。
【００２４】
出力デバイス２４は、情報を出力するためのデバイスである。出力デバイス２４には、スピーカやランプ等が含まれていてもよい。
【００２５】
センサ２５は、図１を用いて説明したように電子機器１の周囲の明るさを検出するためのデバイスである。センサ２５は、検出した周囲の明るさの情報を出力信号として後述する検出部３０に出力する。
【００２６】
ディスプレイ２６は、図１を用いて説明したように文字や画像等を表示するデバイスである。ディスプレイ２６は、例えば、液晶ディスプレイや有機ＥＬディスプレイであってよい。
【００２７】
図３は、電子機器１の機能ブロックの構成例を示す図である。電子機器１は、検出部３０、取得部３１、特定部３２及び制御部３３を含む。検出部３０、取得部３１、特定部３２及び制御部３３は、電子機器１のＣＰＵ２０が、記憶装置２１に記憶されたプログラムを実行することにより実現することができる。当該プログラムは、サーバからダウンロードされて電子機器１にインストール可能なプログラム（アプリケーション）であってもよい。また、当該プログラムは、記憶媒体に格納することができる。当該プログラムを格納した記憶媒体は、コンピュータ読み取り可能な非一時的な記憶媒体（Non-transitory computer readable medium）であってもよい。非一時的な記憶媒体は特に限定されないが、例えば、ＵＳＢメモリ又はＣＤ−ＲＯＭ(Compact Disc Read Only Memory)等の記憶媒体であってもよい。
【００２８】
検出部３０は、センサ２５の出力信号を用いて電子機器１の周囲の明るさを検出する。検出部３０が検出した電子機器１の周囲の明るさの情報は、制御部３３に伝達される。
【００２９】
取得部３１は、電子機器１が備えるディスプレイ２６の明るさの情報を取得する。例えば、取得部３１は、ディスプレイ２６の明るさの設定に関する情報を取得する。取得部３１は、この情報をディスプレイ２６の制御回路等から取得してもよい。取得部３１が取得したディスプレイ２６の明るさの情報は、制御部３３に伝達される。制御部３３は、周囲の明るさの情報とディスプレイ２６の明るさの情報とを、後述の特定部３２で特定されるディスプレイ２６の表示時間の情報に関連付けて経時的に記憶装置２１に記録する。
【００３０】
特定部３２は、ディスプレイ２６の表示時間を特定する。特定部３２は、ユーザによって電子機器１のログインがなされた時点からの経過時間を計測し表示時間として特定してもよい。このとき、特定部３２は、ユーザによってログオフされた場合に経過時間をリセットし、計測しなおしてもよい。また、特定部３２は、ディスプレイ２６の電源がオンになった時点からの経過時間を計測し表示時間として特定してもよい。このとき、特定部３２は、ディスプレイ２６の電源がオフになった場合に経過時間をリセットし、計測しなおしてもよい。
【００３１】
制御部３３は、電子機器１の周囲の明るさとディスプレイの明るさとの関係と、ディスプレイ２６の表示時間に基づいて、ディスプレイ２６の明るさを低下させる制御を実行する。
【００３２】
図４を用いて制御部３３が実行する制御について説明する。図４は、記憶装置２１に記憶されている疲労度テーブル２１ａの一例を示す図である。疲労度テーブル２１ａは、電子機器１の周囲の明るさとディスプレイ２６の明るさの設定との関係から、単位時間あたりのユーザの眼の疲労度を決定するためのテーブルである。ここで、「疲労度」とは、ユーザの眼の疲労の程度を数値化したものである。
【００３３】
疲労度テーブル２１ａには、「周囲の明るさ」、「ディスプレイの明るさ」及び「単位時間あたりの疲労度」の列が存在する。「周囲の明るさ」の列において、電子機器１の周囲の明るさが「０〜２００（ルクス）」、「２０１〜４００（ルクス）」、「４０１〜６００（ルクス）」に段階分けされている。なお、疲労度テーブル２１ａに示す電子機器１の周囲の明るさの上限は、６００ルクスとなっているが、これに限定されない。また、電子機器１の周囲の明るさは、より小さい幅（例えば、１００ルクスごと）で段階分けされていてもよい。
【００３４】
「ディスプレイの明るさ」の列には、ディスプレイ２６の明るさの設定の情報が含まれている。図４に示す疲労度テーブル２１ａには、「暗」、「中」、「明」の三種類の設定の情報が含まれている。設定を変化させると、ディスプレイ２６の明るさの段階が変化する。ディスプレイ２６の明るさは、設定が「暗」、「中」、「明」の順に従って大きくなる。
【００３５】
「単位時間あたりの疲労度」の列には、電子機器１の周囲の明るさとディスプレイ２６の明るさの設定との組み合わせに対応付けられた、単位時間（本実施形態においては、一分間）あたりの疲労度が含まれている。周囲が暗い状況下において明るいディスプレイ２６を視認した場合、暗いディスプレイ２６を視認した場合と比べて疲労度は大きくなる。この現象を利用し、図４に示す疲労度テーブル２１ａでは、周囲の明るさが同一である場合、ディスプレイ２６の明るさの設定が「明」のときの方が、「暗」のときと比べて単位時間あたりの疲労度が大きく設定されている。
【００３６】
制御部３３は、検出部３０が検出した電子機器１の周囲の明るさと取得部３１が取得したディスプレイ２６の明るさの設定との組み合わせに対応するレコードを参照することにより、単位時間あたりの疲労度を決定する。
【００３７】
例えば、検出部３０が検出した電子機器１の周囲の明るさが「５０（ルクス）」、取得部３１が取得したディスプレイ２６の明るさの設定が「明」である場合、制御部３３は、周囲の明るさが「０〜２００（ルクス）」、ディスプレイの明るさの設定が「明」のレコードを参照することにより、単位時間あたりの疲労度「２０（／分）」を決定する。
【００３８】
さらに、制御部３３は、特定した単位時間あたりの疲労度に、特定部３２が特定したディスプレイ２６の表示時間を乗じる演算を行い、算出された値を疲労度とする。例えば、上述の例において、特定部３２が特定した表示時間が「３０（分）」である場合、制御部３３は、単位時間あたりの疲労度「２０（／分）」に表示時間「３０（分）」を乗じることで、疲労度「６００」を算出する。制御部３３は、常時又は所定の時間ごとに疲労度の算出を行い、疲労度が所定の値以上である場合に、ディスプレイ２６の明るさを低下させる制御を行う。例えば、ディスプレイ２６の明るさの設定を「明」から「中」に変更する制御を行う。なお、制御部３３は、単位時間あたりの疲労度と表示時間の乗算により得られた数値に所定の係数をかけた値を、疲労度としてもよい。
【００３９】
また、制御部３３は、色温度係数を用いて疲労度を算出してもよい。ここで、「色温度係数」とは、ディスプレイ２６の色温度に対応した係数である。例えば、制御部３３は、単位時間あたりの疲労度に表示時間と色温度係数を乗じることで疲労度を算出してもよい。ここで、ディスプレイ２６の色温度が高い（青色光の割合が高い）場合の色温度係数は、色温度が低い（青色光の割合が低い）場合と比べて疲労度がより大きく算出されるように設定される。
【００４０】
制御部３３は、ディスプレイ２６の色温度を変更する制御を実行してもよい。例えば、制御部３３は、算出した疲労度が所定の値以上であった場合に、ディスプレイ２６から出力される青色光を低減させることによりディスプレイ２６の色温度を低下させてもよい。なお、制御部３３は、ディスプレイ２６の明るさを低下させる制御と色温度を低下させる制御のいずれか一方のみを実行してもよいし、両方を実行してもよい。
【００４１】
図５のフローチャートを参照して、電子機器１によりディスプレイ２６の明るさを低下させる処理（第１処理）の一例を説明する。
【００４２】
まず、検出部３０が、電子機器１の周囲の明るさを検出する（ステップＳ１００）。例えば、図１に示したセンサ２５が周囲の明るさに応じた出力信号を送出し、この信号に基づいて、検出部３０は電子機器１の周囲の明るさを検出する。検出された明るさの情報は、記憶装置２１に格納される。
【００４３】
次に、取得部３１が、ユーザにより設定されたディスプレイ２６の明るさの設定に関する情報を取得する（ステップＳ１０１）。取得された明るさの設定に関する情報は、記憶装置２１に格納される。
【００４４】
なお、検出部３０による明るさの検出と、取得部３１による明るさの設定に関する情報の取得の実行順序は限定されない。
【００４５】
次に、特定部３２は、ディスプレイ２６の表示時間を特定する（ステップＳ１０２）。特定した表示時間は、電子機器１の周囲の明るさの情報とディスプレイ２６の明るさの設定の情報に関連付けられ、記憶装置２１に格納される。
【００４６】
制御部３３は、単位時間あたりの疲労度を決定する（ステップＳ１０３）。制御部３３は、図４に示す疲労度テーブル２１ａを参照し、電子機器１の周囲の明るさとディスプレイ２６の明るさの設定との組み合わせに基づいて、単位時間あたりの疲労度を決定してもよい。単位時間あたりの疲労度は、記憶装置２１に格納される。
【００４７】
制御部３３は、単位時間あたりの疲労度に、特定部３２が特定した表示時間を乗じて疲労度を算出する（ステップＳ１０４）。算出された疲労度は、記憶装置２１に格納される。
【００４８】
制御部３３は、疲労度が所定の値以上である場合（例えば、所定の値が「５００」であり、算出された疲労度が「６００」であった場合）に、ディスプレイ２６の明るさを低下させる。例えば、制御部３３は、ディスプレイ２６の明るさが「明」に設定されていた場合に、設定を「中」に変更する。なお、制御部３３は、ディスプレイ２６の明るさを低下させるとともに、ディスプレイ２６から出力される青色光を低減させることにより、ディスプレイ２６の色温度を低下させてもよい。以上で、第１処理は終了する。
【００４９】
ユーザの眼の疲労度は、ディスプレイ２６の視認時間に応じて増加する。本実施形態に係る電子機器１によれば、電子機器の周囲の明るさとディスプレイ２６の明るさとの関係と、ディスプレイ２６の表示時間に基づいて、ユーザの眼の疲れ具合に応じた適切なタイミングでディスプレイ２６の明るさを低下させることが可能となる。
【００５０】
また、可視光のうち、エネルギーが高い青色光は、眼の角膜や水晶体で吸収されずに網膜まで到達するため、眼の疲れや眼の痛み等の悪影響を及ぼすおそれがある。本実施形態に係る電子機器１によれば、ディスプレイ２６の色温度を低下させることにより出力される青色光が減少するため、ユーザの眼の疲れや眼の痛みを防止することができる。
【００５１】
図６のフローチャートを参照して、制御部３３がディスプレイ２６の表示時間に応じて段階的にディスプレイ２６の明るさを低下させる処理（第２処理）の一例を説明する。なお、図６に示す第２処理は、電子機器１の周囲の明るさとディスプレイ２６の明るさが一定である場合の電子機器１の処理を示している。
【００５２】
まず、制御部３３は、特定部３２が特定したディスプレイ２６の表示時間が第１所定時間（例えば、３０分）を超えたかを判定する（ステップＳ１１０）。第１所定時間を超えている場合（ステップＳ１１０：Ｙｅｓ）、制御部３３は、ディスプレイ２６の明るさを低下させる処理を実行する（ステップＳ１１１）。例えば、ディスプレイ２６の明るさが「明」に設定されている場合、制御部３３は、ディスプレイ２６の明るさの設定を「中」に変更する処理を実行する。第１所定時間を超えていない場合（ステップＳ１１０：Ｎｏ）、制御部３３は判定処理（ステップＳ１１０）を繰り返す。
【００５３】
電子機器１の制御部３３は、ディスプレイ２６の表示時間が第１所定時間を超えた場合に報知を行ってもよい。例えば、制御部３３は、電子機器１をユーザが長時間使用している旨をディスプレイ２６に表示してもよい。また、電子機器１がスピーカを備える場合、制御部３３は、音声出力により報知を行ってもよい。
【００５４】
さらに、制御部３３は、図７に示すように、ディスプレイ２６の明るさを低下させる処理を実行するか否かの選択肢をディスプレイ２６に表示し、ユーザの選択に基づいてディスプレイ２６の明るさを制御してもよい。
【００５５】
図７は、電子機器１のディスプレイ２６に表示される報知画面２６ａの一例を示す図である。本実施形態においては、第１所定時間を超えた場合に、図７に示すような報知画面２６ａを表示する。報知画面２６ａには、「端末を長時間使用しています。眼が疲れていませんか。」という、ユーザに対して電子機器１を長時間使用している旨を報知する文章が表示されている。
【００５６】
また、報知画面２６ａには、「ディスプレイを暗くしますか？」という文章とともに、ディスプレイ２６を暗くするか否かの選択肢が表示されている。ユーザは、表示された選択肢のうちいずれか選択することにより、ディスプレイ２６の明るさを低下させるか否かを指示することができる。
【００５７】
本実施形態に係る電子機器１によれば、ディスプレイ２６の表示時間が所定時間を超えた場合に報知が行われる。そのため、ユーザは電子機器１の使用時間を把握することができる。また、本実施形態に係る電子機器１は、ユーザからディスプレイ２６の明るさを低下させるという選択を受け付けた後に、ディスプレイ２６の明るさを低下させる。そのため、ユーザの意に反してディスプレイ２６の明るさが低下してしまうことを防止できる。
【００５８】
図６に戻り、第２処理について説明を続ける。制御部３３は、ディスプレイ２６の明るさを低下させる処理を実行した後、表示時間が第２所定時間（例えば、６０分）を超えたか否かを判定する（ステップＳ１１２）。
【００５９】
第２所定時間を超えている場合（ステップＳ１１２：Ｙｅｓ）、制御部３３は、ディスプレイ２６の明るさをさらに低下させる処理を実行する（ステップＳ１１３）。例えば、ディスプレイ２６の明るさが「中」に設定されている場合、制御部３３は、ディスプレイ２６の明るさの設定を「暗」に変更する処理を実行する。また、制御部３３は、ディスプレイ２６の明るさを低下させるだけでなく、ディスプレイ２６の色温度を低下させる制御を実行してもよい。
【００６０】
第２所定時間を超えていない場合（ステップＳ１１２：Ｎｏ）、制御部３３は、判定処理（ステップＳ１１２）を繰り返す。以上で、電子機器１による第２処理は終了する。
【００６１】
本実施形態に係る電子機器１によれば、所定時間ごとにディスプレイ２６の明るさが段階的に低下する。そのため、ディスプレイ２６の明るさが急激に低下することを防止できる。
【００６２】
なお、本実施形態においては、表示時間が第１所定時間を超えた場合、及び、表示時間が第２所定時間を超えた場合にディスプレイ２６の明るさを低下させる処理を実行しているが、処理を実行する回数は限定されない。
【００６３】
図８のフローチャートを参照して、制御部３３がディスプレイ２６の明るさを低下させる第１モードと、ディスプレイ２６の明るさを低下させない第２モードとを選択的に実行する処理（第３処理）の一例を説明する。
【００６４】
第１モードとは、電子機器１が特定のアプリケーションを実行していない場合に選択されるモードであり、制御部３３によりディスプレイ２６の明るさを低下させる処理が実行されるモードである。一方、第２モードとは、電子機器１が特定のアプリケーションを実行している場合に選択されるモードであり、制御部３３によりディスプレイ２６の明るさを低下させる処理が実行されないモードである。
【００６５】
ここで、特定のアプリケーションは、ディスプレイ２６の明るさが維持されたまま使用されることが好まれるアプリケーション（例えば、動画視聴用アプリケーション等）を含んでいてもよい。なお、特定のアプリケーションは、ユーザが任意に選択可能であってよい。
【００６６】
図８に示すように、まず、制御部３３は、電子機器１が特定のアプリケーションを実行中であるか否かを判定する（ステップＳ１２０）。電子機器１が特定のアプリケーションを実行していない場合（ステップＳ１２０：Ｎｏ）、制御部３３は、ディスプレイ２６の明るさを低下させる第１モードを実行する。第１モードの処理内容は、図５を参照して説明した第１処理（ステップＳ２００）と同様であるため説明を省略する。
【００６７】
電子機器１が特定のアプリケーションを実行している場合（ステップＳ１２０：Ｙｅｓ）、制御部３３はディスプレイ２６の明るさを低下させる処理を実行しない。以上で、電子機器１による第３処理は終了する。
【００６８】
本実施形態に係る電子機器１によれば、特定のアプリケーションを実行している場合には、ディスプレイ２６の明るさを低下させる処理が行われず、特定のアプリケーション使用中に画面の明るさが低下してしまうストレスを、ユーザに生じさせないことができる。
【００６９】
以上説明した実施形態は、本発明の理解を容易にするためのものであり、本発明を限定して解釈するためのものではない。実施形態が備える各要素並びにその配置、材料、条件、形状及びサイズ等は、例示したものに限定されるわけではなく適宜変更することができる。また、異なる実施形態で示した構成同士を部分的に置換し又は組み合わせることが可能である。
【符号の説明】
【００７０】
１…電子機器、２５…センサ、２６…ディスプレイ、２６ａ…報知画面、３２…特定部、３３…制御部
【図１】
2020067610.tif 000003
【図２】
2020067610.tif 000004
【図３】
2020067610.tif 000005
【図４】
2020067610.tif 000006
【図５】
2020067610.tif 000007
【図６】
2020067610.tif 000008
【図７】
2020067610.tif 000009
【図８】
2020067610.tif 000010